(57)【要約】【課題】  書類保持具と白板の結合装置の提供。【解決手段】  プラスチック材質の白板の片面或いは両面がつや出し処理され、書類保持具の表紙、裏表紙にプラスチック製白板が結合されるか、或いは保持具の保持するリフィル中にプラスチック製白板が挿入されて、直接プラスチック製白板に白板ペンで書き込み、白板消しで擦拭が行なえるものとされている。【選択図】        図１
2005041185.tif 000002
【特許請求の範囲】
【請求項１】
書類保持具と白板の結合装置において、書類保持具が片面或いは両面をつや出ししたプラスチック製白板で形成されて、白板ペンでの書き込み、白板消しでの擦拭に供され、重複書き込み可能とされたことを特徴とする、書類保持具と白板の結合装置。
【請求項２】
請求項１記載の書類保持具と白板の結合装置において、プラスチック製白板で書類保持具のおもて表紙、背、裏表紙が一体に形成され、白板のつや出し面がおもて表紙と裏表紙の内側面とされ、無つや出し面がおもて表紙と裏表紙の外側面とされ、おもて表紙と裏表紙の間に折り線を介して背が形成されて、おもて表紙と裏表紙が開閉自在とされたことを特徴とする、書類保持具と白板の結合装置。
【請求項３】
請求項１記載の書類保持具と白板の結合装置において、プラスチック製白板で形成された書類保持具に頁又はレフィルが保持されたことを特徴とする、書類保持具と白板の結合装置。
【請求項４】
請求項１記載の書類保持具と白板の結合装置において、プラスチック製白板にクリップが取り付けられ、開閉式或いは単一板式の書類挟みとされ、開閉式の書類挟みのクリップに対向する面に貫通孔が設けられたことを特徴とする、書類保持具と白板の結合装置。
【請求項５】
請求項１記載の書類保持具と白板の結合装置において、プラスチック製白板の両側の対応位置にハンドルが形成され、プラスチック製白板の中間に折り線が設けられ、周囲にスライドファスナが設けられ、手提げ型の白板或いは書類ケースとして使用され、該書類ケースの内側にポケットが設けられたことを特徴とする、書類保持具と白板の結合装置。
【請求項６】
請求項１記載の書類保持具と白板の結合装置において、書類保持具に薄いプラスチック製白板に穿孔が設けられてなる頁又はレフィルが保持されたことを特徴とする、書類保持具と白板の結合装置。
【発明の詳細な説明】
【技術分野】
【０００１】
本発明は一種の書類保持具と白板の結合装置に係り、特に、プラスチック製で製作した書類保持具を具え、書類保持具の表紙、裏表紙にプラスチック製白板が結合されるか、或いは保持具の保持するレフィル中にプラスチック製白板が挿入されて、直接プラスチック製白板に書き込み、擦拭が行なえるものとされた、書類保持具と白板の結合装置に関する。
【背景技術】
【０００２】
周知の書類保持具、例えばシステム手帳、ファイル、バインダー、書類挟み等は、一般に、内側に書き込み用のレフィルが設置されている。しかし、レフィルに書き込んだ後は、重複書き込みが行なえず、レフィルが使い果たされると、新たにレフィルを購入しなければならず、浪費を形成し、且つ面倒である。
【発明の開示】
【発明が解決しようとする課題】
【０００３】
本発明は従来の書類保持具の欠点を改善する、書類保持具と白板の結合装置を提供することを目的としている。
【課題を解決するための手段】
【０００４】
請求項１の発明は、書類保持具と白板の結合装置において、書類保持具が片面或いは両面をつや出ししたプラスチック製白板で形成されて、白板ペンでの書き込み、白板消しでの擦拭に供され、重複書き込み可能とされたことを特徴とする、書類保持具と白板の結合装置としている。
請求項２の発明は、請求項１記載の書類保持具と白板の結合装置において、プラスチック製白板で書類保持具のおもて表紙、背、裏表紙が一体に形成され、白板のつや出し面がおもて表紙と裏表紙の内側面とされ、無つや出し面がおもて表紙と裏表紙の外側面とされ、おもて表紙と裏表紙の間に折り線を介して背が形成されて、おもて表紙と裏表紙が開閉自在とされたことを特徴とする、書類保持具と白板の結合装置としている。
請求項３の発明は、請求項１記載の書類保持具と白板の結合装置において、プラスチック製白板で形成された書類保持具に頁又はレフィルが保持されたことを特徴とする、書類保持具と白板の結合装置としている。
請求項４の発明は、請求項１記載の書類保持具と白板の結合装置において、プラスチック製白板にクリップが取り付けられ、開閉式或いは単一板式の書類挟みとされ、開閉式の書類挟みのクリップに対向する面に貫通孔が設けられたことを特徴とする、書類保持具と白板の結合装置としている。
請求項５の発明は、請求項１記載の書類保持具と白板の結合装置において、プラスチック製白板の両側の対応位置にハンドルが形成され、プラスチック製白板の中間に折り線が設けられ、周囲にスライドファスナが設けられ、手提げ型の白板或いは書類ケースとして使用され、該書類ケースの内側にポケットが設けられたことを特徴とする、書類保持具と白板の結合装置としている。
請求項６の発明は、請求項１記載の書類保持具と白板の結合装置において、書類保持具に薄いプラスチック製白板に穿孔が設けられてなる頁又はレフィルが保持されたことを特徴とする、書類保持具と白板の結合装置としている。
【発明の効果】
【０００５】
本発明は書類保持具とプラスチック製白板を結合させることにより、重複書き込み可能な機能を使用者に提供し、レフィルが切れることを心配する必要をなくし、また、レフィルを購入する費用を節約し、レフィルの代わりに使用することで、紙の浪費を防止し、環境保護機能を提供する。
【発明を実施するための最良の形態】
【０００６】
本発明によると、プラスチック製白板の片面或いは両面がつや出し処理されて白板ペンでの書き込みと白板消しでの擦拭が自在とされ、プラスチック製白板のつや出し面で書類保持具のおもて表紙と裏表紙の内側面が形成され、つや無し面でおもて表紙と裏表紙の外側面が形成されるか、或いは薄いプラスチック製白板でレフィルが形成されて、書類ファイル、手帳に保持されるか、或いは厚いプラスチック製白板にクリップが取り付けられて書類挟みが形成されるか、或いはプラスチック製白板に孔が開けられて台紙が形成される。
本発明は書類保持具とプラスチック製白板を結合させることにより、重複書き込み可能な機能を使用者に提供し、レフィルが切れることを心配する必要をなくし、また、レフィルを購入する費用を節約し、レフィルの代わりに使用することで、紙の浪費を防止し、環境保護機能を提供する。
【実施例１】
【０００７】
図１は本発明の書類保持具１がシステム手帳とされた実施例を示す。白板１０はプラスチック材料で形成され、該プラスチック製白板１０の片面或いは両面につや出し面１１が形成されて、白板ペンでの書き込みと白板消しでの擦拭による重複使用に供される。
実際の応用上、上述のプラスチック製白板１０のつや出し面１１により、システム手帳のおもて表紙と裏表紙の内側面が形成され、無つや出し面１２で該おもて表紙と裏表紙の外側面が形成される。このプラスチック製白板１０の中間には２本の折り線１３が設けられて、折り線１３間に背１４が形成され、レフィル２３を着脱自在に保持するホルダ装置２がおもて表紙と裏表紙の間に形成された背１４の内側に取り付けられている。頁又はレフィル２３がポリプロピレンで形成されて、メモパッド９とされている。
【実施例２】
【０００８】
図２は本発明の書類保持具１がバインダーとされた実施例を示す。レフィル２３を着脱自在に保持するホルダ装置２がおもて表紙と裏表紙の間に形成された背１４の内側に取り付けられている。
【実施例３】
【０００９】
図３は本発明の書類保持具１がバインダーとされたもう一つの実施例を示す。レフィル２３を着脱自在に保持するクリップ１５が裏表紙の内側のつや出し面１１に取り付けられている。該クリップ１５のホルダリングに対応する位置に、貫通孔１５１が設けられている。
【実施例４】
【００１０】
図４は本発明の書類保持具１が書類挟みとされた実施例を示す。書類挟みのおもて表紙と裏表紙は比較的厚いプラスチック製白板１０で一体に形成され、おもて表紙と裏表紙の間は中間折り線１３で折り曲げ自在とされ、書類挟みの裏表紙の内側にクリップ１５が取り付けられ、おもて表紙の該クリップ１５に対応する位置に開口１６が設けられている。図４に示される。これはおもて表紙と裏表紙を具えた書類挟みであるが、図９に示されるように、この実施例を変化させ、プラスチック製白板１０にクリップ１５を取り付けただけの書類挟み形態も可能である。
【実施例５】
【００１１】
図５、６に示される実施例は、頁が固定式の手帳形態とされ、プラスチック製白板１０で表紙と裏表紙が一体に形成されるほか、頁又はレフィル２３がポリプロピレンで形成されて、メモパッド９とされている。
【実施例６】
【００１２】
図７、８に示される実施例では、プラスチック製白板１０の両側に一体にハンドル１７が形成されて、中間の折り線１３で該プラスチック製白板１０が二つ折りにされる時、該ハンドル１７が手提げに供され、プラスチック製白板１０の周囲に開閉自在のスライドファスナ１８が設けられ、これにより手提げ型の白板が形成される。
【図面の簡単な説明】
【００１３】
【図１】本発明の第１実施例の斜視図である。
【図２】本発明の第２実施例の斜視図である。
【図３】本発明の第３実施例の斜視図である。
【図４】本発明の第４実施例の斜視図である。
【図５】本発明の第５実施例の斜視図である。
【図６】本発明の第５実施例の変化実施例の斜視図である。
【図７】本発明の第６実施例の斜視図である。
【図８】本発明の第６実施例の変化実施例の斜視図である。
【図９】本発明の第３実施例の変化斜視図である。
【符号の説明】
【００１４】
１０  プラスチック製白板        １１  つや出し面
１２  無つや出し面              １３  折り線
１４  背                        １５  クリップ
１６  開口                      １７  ハンドル
１８  スライドファスナ          １９  ポケット
２０  文具                      ２  ホルダ装置
２１  ホルダリング
９  メモパッド
２３  頁又はレフィル
【図１】
2005041185.tif 000003
【図２】
2005041185.tif 000004
【図３】
2005041185.tif 000005
【図４】
2005041185.tif 000006
【図５】
2005041185.tif 000007
【図６】
2005041185.tif 000008
【図７】
2005041185.tif 000009
【図８】
2005041185.tif 000010
【図９】
2005041185.tif 000011